(57)【特許請求の範囲】
【請求項１】
直方体状の誘電体であり、複数の第１貫通孔と、１つ以上の第２貫通孔とを有する、誘電体ブロックと、
前記第１貫通孔の内面にそれぞれ配置された、第１内導体および第２内導体を含む複数の内導体と、
前記第１内導体に電気的または電磁気的に接続される第１端子電極と、
前記第２内導体に電気的または電磁気的に接続される第２端子電極と、
前記誘電体ブロックを取り囲むように配置された、基準電位に接続される外導体と、
を有しており、
前記第１貫通孔は、前記誘電体ブロックの互いに対向する第１側面および第２側面の一方から他方へ向かう方向である第１方向に貫通しているとともに、前記誘電体ブロックの互いに対向する第３側面および第４側面の一方から他方へ向かう方向である第２方向に互いに間隔を開けて配置されており、
前記第２貫通孔は、前記第１方向に貫通しているとともに、前記第２方向において、隣り合う前記第１貫通孔の間の位置に配置されており、
前記第１内導体は、前記第２方向の一方端に位置する前記第１貫通孔の内面に配置されており、
前記第２内導体は、前記第２方向の他方端に位置する前記第１貫通孔の内面に配置されており、
前記外導体は、前記誘電体ブロックの第１主面に接するとともに、前記誘電体ブロックの第２主面、前記第３側面および前記第４側面と間隔を開けて対向するように配置されており、
前記第１貫通孔は、前記誘電体ブロックの前記第２主面側に配置されており、前記第２貫通孔は、前記第１貫通孔に対して前記第１主面側に配置されており、
前記第２方向の中央に位置する前記第２貫通孔の体積が、前記第２方向の両端に位置する前記第２貫通孔の体積よりも大きいことを特徴とする誘電体フィルタ。
【請求項２】
前記第２貫通孔の体積が、前記第２方向における両端から中央に向けて段階的に大きくなっていることを特徴とする請求項１に記載の誘電体フィルタ。
【請求項３】
前記誘電体ブロックの前記第１側面に配置された、前記内導体のうち互いに隣り合わない内導体同士を容量結合する１つ以上の第１導体を更に有しており、
前記第１導体は、前記内導体よりも前記第２主面側に配置されていることを特徴とする請
求項１または請求項２に記載の誘電体フィルタ。
【請求項４】
前記誘電体ブロックの前記第１側面側の端部は、前記第１主面から前記第２主面へ向かう方向の長さが、他の部分よりも大きいことを特徴とする請求項１乃至請求項３のいずれかに記載の誘電体フィルタ。
【請求項５】
前記内導体のうち互いに隣り合う内導体の間の静電容量を調整する１つ以上の第２導体が、前記誘電体ブロックの前記第２側面に配置されていることを特徴とする請求項４に記載の誘電体フィルタ。
【請求項６】
前記内導体と前記外導体との間の静電容量を調整するための１つ以上の第３導体が、前記誘電体ブロックの前記第２側面に配置されていることを特徴とする請求項４または請求項５に記載の誘電体フィルタ。
【請求項７】
直方体状の誘電体であり、複数の第１貫通孔と、１つ以上の第２貫通孔とを有する、誘電体ブロックと、
前記第１貫通孔の内面にそれぞれ配置された、第１内導体および第２内導体を含む複数の内導体と、
前記第１内導体に電気的または電磁気的に接続される第１端子電極と、
前記第２内導体に電気的または電磁気的に接続される第２端子電極と、
前記誘電体ブロックを取り囲むように配置された、基準電位に接続される外導体と、
を有しており、
前記第１貫通孔は、前記誘電体ブロックの互いに対向する第１側面および第２側面の一方から他方へ向かう方向である第１方向に貫通しているとともに、前記誘電体ブロックの互いに対向する第３側面および第４側面の一方から他方へ向かう方向である第２方向に互いに間隔を開けて配置されており、
前記第２貫通孔は、前記第１方向に貫通しているとともに、前記第２方向において、隣り合う前記第１貫通孔の間の位置に配置されており、
前記第１内導体は、前記第２方向の一方端に位置する前記第１貫通孔の内面に配置されており、
前記第２内導体は、前記第２方向の他方端に位置する前記第１貫通孔の内面に配置されており、
前記外導体は、前記誘電体ブロックの第１主面に接するとともに、前記誘電体ブロックの第２主面、前記第３側面および前記第４側面と間隔を開けて対向するように配置されており、
前記第１貫通孔は、前記誘電体ブロックの前記第２主面側に配置されており、前記第２貫通孔は、前記第１貫通孔に対して前記第１主面側に配置されており、
前記内導体と前記外導体との間の静電容量を調整するための１つ以上の第３導体が、前記誘電体ブロックの前記第２側面に配置されていることを特徴とする誘電体フィルタ。
【請求項８】
アンテナ端子と、送信端子と、受信端子と、前記アンテナ端子と前記送信端子との間に直列に接続された送信用フィルタと、前記アンテナ端子と前記受信端子との間に直列に接続された受信用フィルタと、を少なくとも有しており、前記送信用フィルタおよび前記受信用フィルタの少なくとも一方が、請求項１乃至請求項７のいずれかに記載の誘電体フィルタであることを特徴とするデュプレクサ。
【請求項９】
アンテナ端子と、送信端子と、受信端子と、前記アンテナ端子と前記送信端子との間に直列に接続された送信用フィルタと、前記アンテナ端子と前記受信端子との間に直列に接続された受信用フィルタと、を少なくとも有しており、前記送信用フィルタおよび前記受信用フィルタの一方が、請求項５乃至請求項７のいずれかに記載の誘電体フィルタであり
、前記誘電体ブロックの前記第１側面が前記送信用フィルタおよび前記受信用フィルタの他方に面するように配置されていることを特徴とするデュプレクサ。
【請求項１０】
アンテナ端子と、送信端子と、受信端子と、前記アンテナ端子と前記送信端子との間に直列に接続された送信用フィルタと、前記アンテナ端子と前記受信端子との間に直列に接続された受信用フィルタと、を少なくとも有しており、前記送信用フィルタおよび前記受信用フィルタは、請求項５乃至請求項７のいずれかに記載の誘電体フィルタであり、それぞれの前記誘電体ブロックの前記第１側面同士が対向するように配置されていることを特徴とするデュプレクサ。
【請求項１１】
請求項８乃至請求項１０のいずれかに記載のデュプレクサと、前記アンテナ端子に直接または他の回路を介して接続されたアンテナと、前記送信端子に直接または他の回路を介して接続された送信回路と、前記受信端子に直接または他の回路を介して接続された受信回路と、を少なくとも有していることを特徴とする通信装置。
【発明の詳細な説明】
【技術分野】
【０００１】
本発明は、電気特性の優れた誘電体フィルタ，デュプレクサおよび通信装置に関するものである。
【背景技術】
【０００２】
誘電体ブロックに形成された複数の貫通孔の内面に各々配置された内導体と誘電体ブロックを取り囲む外導体とで構成された誘電体フィルタが知られている（例えば、特許文献１を参照。）。
【先行技術文献】
【特許文献】
【０００３】
【特許文献１】ＷＯ２０１２／０４３７３９Ａ１
【発明の概要】
【発明が解決しようとする課題】
【０００４】
しかしながら、特許文献１にて提案されたような従来の誘電体フィルタにおいては、隣り合う内導体同士の容量結合を強くすることが難しいことなどにより、特に通過帯域外の減衰量を充分に確保することが難しいなど、良好な電気特性を得るのが難しいという問題があった。【０００５】
本発明はこのような従来の技術における問題点に鑑みて案出されたものであり、その目的は、電気特性が良好な誘電体フィルタと、それを用いた、デュプレクサおよび通信装置とを提供することにある。
【課題を解決するための手段】
【０００６】
本発明の誘電体フィルタは、直方体状の誘電体であり、複数の第１貫通孔と、１つ以上の第２貫通孔とを有する、誘電体ブロックと、前記第１貫通孔の内面にそれぞれ配置された、第１内導体および第２内導体を含む複数の内導体と、前記第１内導体に電気的または電磁気的に接続される第１端子電極と、前記第２内導体に電気的または電磁気的に接続される第２端子電極と、前記誘電体ブロックを取り囲むように配置された、基準電位に接続される外導体と、を有しており、前記第１貫通孔は、前記誘電体ブロックの互いに対向する第１側面および第２側面の一方から他方へ向かう方向である第１方向に貫通しているとともに、前記誘電体ブロックの互いに対向する第３側面および第４側面の一方から他方へ向かう方向である第２方向に互いに間隔を開けて配置されており、前記第２貫通孔は、前記第１方向に貫通しているとともに、前記第２方向において、隣り合う前記第１貫通孔の間の位置に配置されており、前記第１内導体は、前記第２方向の一方端に位置する前記第１貫通孔の内面に配置されており、前記第２内導体は、前記第２方向の他方端に位置する前記第１貫通孔の内面に配置されており、前記外導体は、前記誘電体ブロックの第１主面に接するとともに、前記誘電体ブロックの第２主面、前記第３側面および前記第４側面と間隔を開けて対向するように配置されており、前記第１貫通孔は、前記誘電体ブロックの前記第２主面側に配置されており、前記第２貫通孔は、前記第１貫通孔に対して前記第１主面側に配置されていることを特徴とする。【０００７】
本発明のデュプレクサは、アンテナ端子と、送信端子と、受信端子と、前記アンテナ端子と前記送信端子との間に直列に接続された送信用フィルタと、前記アンテナ端子と前記受信端子との間に直列に接続された受信用フィルタと、を少なくとも有しており、前記送信用フィルタおよび前記受信用フィルタの少なくとも一方が、前記誘電体フィルタであることを特徴とする。【０００８】
本発明の無線通信機器は、デュプレクサと、前記アンテナ端子に直接または他の回路を介して接続されたアンテナと、前記送信端子に直接または他の回路を介して接続された送信回路と、前記受信端子に直接または他の回路を介して接続された受信回路と、を少なくとも有していることを特徴とする。
【発明の効果】
【０００９】
本発明の誘電体フィルタによれば、電気特性が良好な誘電体フィルタを得ることができる。本発明のデュプレクサによれば、電気特性が良好なデュプレクサを得ることができる。本発明の通信装置によれば、通信品質が良好な通信装置を得ることができる。
【図面の簡単な説明】
【００１０】
【図１】本発明の第１実施形態の誘電体フィルタを模式的に示す断面図である。
【図２】本発明の第１実施形態の誘電体フィルタを模式的に示す平面図である。
【図３】本発明の第１実施形態の誘電体フィルタを模式的に示す平面図である。
【図４】本発明の第１実施形態の誘電体フィルタを模式的に示す平面図である。
【図５】本発明の第２実施形態のデュプレクサを模式的に示す断面図である。
【図６】本発明の第２実施形態のデュプレクサを模式的に示す平面図である。
【図７】本発明の第２実施形態のデュプレクサを模式的に示す平面図である。
【図８】本発明の第３実施形態の通信装置を模式的に示すブロック図である。
【図９】本発明の第１実施形態の誘電体フィルタの電気特性のシミュレーション結果を示すグラフである。
【発明を実施するための形態】
【００１１】
以下、本発明の誘電体フィルタ誘電体フィルタと、それを用いたデュプレクサおよび通信装置とを添付の図面を参照しつつ詳細に説明する。
【００１２】
（第１実施形態）
図１は、本発明の第１実施形態の誘電体フィルタを模式的に示す断面図である。図２は図１の誘電体フィルタをＡ−Ａ’線で切断して矢印の方向（図の＋ｙ方向）を見た図である。図３は図１の誘電体フィルタをＢ−Ｂ’線で切断して矢印の方向（図の＋ｙ方向）を見た図である。図４は図１の誘電体フィルタをＣ−Ｃ’線で切断して矢印の方向（図の−ｙ方向）を見た図である。
【００１３】
本実施形態の誘電体フィルタは、図１〜図４に示すように、誘電体ブロック３０と、第１貫通孔３１ａ〜３１ｇ（第１貫通孔３１ａ，第１貫通孔３１ｂ，第１貫通孔３１ｃ，第１貫通孔３１ｄ，第１貫通孔３１ｅ，第１貫通孔３１ｆ，第１貫通孔３１ｇ）と、第２貫通孔３２ａ〜３２ｆ（第２貫通孔３２ａ，第２貫通孔３２ｂ，第２貫通孔３２ｃ，第２貫通孔３２ｄ，第２貫通孔３２ｅ，第２貫通孔３２ｆ）と、内導体４１ａ〜４１ｇ（内導体４１ａ，内導体４１ｂ，内導体４１ｃ，内導体４１ｄ，内導体４１ｅ，内導体４１ｆ，内導体４１ｇ）と、第１導体６１ａ〜６１ｆ（第１導体６１ａ，第１導体６１ｂ，第１導体６１ｃ，第１導体６１ｄ，第１導体６１ｅ，第１導体６１ｆ）と、第２導体６２ａ〜６２ｍ（第２導体６２ａ，第２導体６２ｂ，第２導体６２ｃ，第２導体６２ｄ，第２導体６２ｅ，第２導体６２ｆ，第２導体６２ｇ，第２導体６２ｈ，第２導体６２ｉ，第２導体６２ｊ，第２導体６２ｋ，第２導体６２ｍ）と、第３導体６３ａ〜６３ｇ（第３導体６３ａ，第３導体６３ｂ，第３導体６３ｃ，第３導体６３ｄ，第３導体６３ｅ，第３導体６３ｆ，第３導体６３ｇ）と、第４導体６４ａ〜６４ｇ（第４導体６４ａ，第４導体６４ｂ，第４導体６４ｃ，第４導体６４ｄ，第４導体６４ｅ，第４導体６４ｆ，第４導体６４ｇ）と、第５導体６５ａ〜６５ｇ（第５導体６５ａ，第５導体６５ｂ，第５導体６５ｃ，第５導体６５ｄ，第５導体６５ｅ，第５導体６５ｆ，第５導体６５ｇ）と、端子電極５１ａ，５１ｂ（端子電極５１ａ，端子電極５１ｂ）と、外導体２１ａ，２１ｂ（外導体２１ａ，外導体２１ｂ）と、誘電体基板１１と、導体２２と、ビア導体５２ａ，５２ｂ（ビア導体５２ａ，ビア導体５２ｂ）と、外部電極５３ａ，５３ｂ（外部電極５３ａ，外部電極５３ｂ）とを有している。
【００１４】
誘電体ブロック３０は、直方体状の誘電体であり、第１貫通孔３１ａ〜３１ｇおよび第２貫通孔３２ａ〜３２ｆを有している。第１貫通孔３１ａ〜３１ｇのそれぞれは、誘電体ブロック３０の互いに対向する第１側面３０ｃおよび第２側面３０ｄの一方から他方へ向かう方向である図のｙ軸方向に貫通している。そして、第１貫通孔３１ａ〜３１ｇは、誘電体ブロック３０の互いに対向する第３側面３０ｅおよび第４側面３０ｆの一方から他方へ向かう方向である図のｘ軸方向に間隔を開けて配置されている。すなわち、第１貫通孔３１ａ〜３１ｇは、誘電体ブロック３０の第３側面３０ｅから第４側面３０ｆへ向けて、３１ａ，３１ｂ，３１ｃ，３１ｄ，３１ｅ，３１ｆ，３１ｇの順に配置されている。
【００１５】
各々の第１貫通孔３１ａ〜３１ｇの内面には、全体に渡って内導体４１ａ〜４１ｇが配置されている。すなわち、第１貫通孔３１ａの内面には内導体４１ａが配置されており、第１貫通孔３１ｂの内面には内導体４１ｂが配置されており、第１貫通孔３１ｃの内面には内導体４１ｃが配置されており、第１貫通孔３１ｄの内面には内導体４１ｄが配置されており、第１貫通孔３１ｅの内面には内導体４１ｅが配置されており、第１貫通孔３１ｆの内面には内導体４１ｆが配置されており、第１貫通孔３１ｇの内面には内導体４１ｇが配置されている。
【００１６】
誘電体ブロック３０の第１側面３０ｃにおける第１貫通孔３１ａ〜３１ｇの周囲には、それぞれ第４導体６４ａ〜６４ｇが配置されている。すなわち、第１貫通孔３１ａの周囲には第４導体６４ａが配置されており、第１貫通孔３１ｂの周囲には第４導体６４ｂが配置されており、第１貫通孔３１ｃの周囲には第４導体６４ｃが配置されており、第１貫通孔３１ｄの周囲には第４導体６４ｄが配置されており、第１貫通孔３１ｅの周囲には第４導体６４ｅが配置されており、第１貫通孔３１ｆの周囲には第４導体６４ｆが配置されており、第１貫通孔３１ｇの周囲には第４導体６４ｇが配置されている。
【００１７】
また、誘電体ブロック３０の第２側面３０ｄにおける第１貫通孔３１ａ〜３１ｇの周囲には第５導体６５ａ〜６５ｇが配置されている。すなわち、第１貫通孔３１ａの周囲には第５導体６５ａが配置されており、第１貫通孔３１ｂの周囲には第５導体６５ｂが配置されており、第１貫通孔３１ｃの周囲には第５導体６５ｃが配置されており、第１貫通孔３１ｄの周囲には第５導体６５ｄが配置されており、第１貫通孔３１ｅの周囲には第５導体６５ｅが配置されており、第１貫通孔３１ｆの周囲には第５導体６５ｆが配置されており、第１貫通孔３１ｇの周囲には第５導体６５ｇが配置されている。
【００１８】
そして第４導体６４ａ〜６４ｇおよび第５導体６５ａ〜６５ｇは、各々対応する内導体４１ａ〜４１ｇに接続されている。すなわち、第４導体６４ａ，第５導体６５ａは内導体４１ａに接続されており、第４導体６４ｂ，第５導体６５ｂは内導体４１ｂに接続されており、第４導体６４ｃ，第５導体６５ｃは内導体４１ｃに接続されており、第４導体６４ｄ，第５導体６５ｄは内導体４１ｄに接続されており、第４導体６４ｅ，第５導体６５ｅは内導体４１ｅに接続されており、第４導体６４ｆ，第５導体６５ｆは内導体４１ｆに接続されており、第４導体６４ｇ，第５導体６５ｇは内導体４１ｇに接続されている。このような第４導体６４ａ〜６４ｇおよび第５導体６５ａ〜６５ｇにより、隣り合う内導体同士の静電容量や、内導体４１ａ〜４１ｇと外導体２１ａ，２１ｂとの間の静電容量を大きくすることができる。
【００１９】
図のｘ軸方向における一方端部に位置する内導体４１ａの近傍には、誘電体ブロック３０の第１主面３０ａから第２側面３０ｄにかけて端子電極５１ａが配置されている。端子電極５１ａは、その一部が誘電体ブロック３０を介して内導体４１ａと対向するように配置されており、内導体４１ａに電磁気的に接続される。また、図のｘ軸方向における他方端部に位置する内導体４１ｇの近傍には、誘電体ブロック３０の第１主面３０ａから第２側面３０ｄにかけて端子電極５１ｂが配置されている。端子電極５１ｂは、その一部が誘電体ブロック３０を介して内導体４１ｇと対向するように配置されており、内導体４１ｇに電磁気的に接続される。なお、端子電極５１ａは内導体４１ａに電気的に（直流が導通可能に）接続されても良く、端子電極５１ｂは内導体４１ｇに電気的に（直流が導通可能に）接続されてもよい。
【００２０】
誘電体基板１１は板状の誘電体であり、上面に外導体２１ａが配置されており、下面に導体２２が配置されている。外導体２１ａおよび導体２２は、シート状の導体であり、基準電位に接続される。そして、誘電体ブロック３０は、第１主面３０ａが外導体２１ａの第１主面（上面）に接するように、外導体２１ａ上に配置されている。
【００２１】
外導体２１ｂは、１面が開口した直方体の箱状の導体であり、開口部を外導体２１ａ側に向けて、内部に誘電体ブロック３０を収容するように、外導体２１ａの第１主面上に配置されて外導体２１ａに接続されている。なお、外導体２１ｂは、誘電体ブロック３０の第２主面３０ｂ，第１側面３０ｃ，第２側面３０ｄ，第３側面３０ｅ，第４側面３０ｆと間隔を開けて対向するように配置されており、誘電体ブロック３０と外導体２１ｂとの間は空気で満たされている。
【００２２】
そして、端子電極５１ａは、誘電体基板１１を貫通するビア導体５２ａを介して、誘電体基板１１の下面に配置された外部電極５３ａに接続されている。また、端子電極５１ｂは、誘電体基板１１を貫通するビア導体５２ｂを介して、誘電体基板１１の下面に配置された外部電極５３ｂに接続されている。なお、外導体２１ａは、端子電極５１ａ，５１ｂに接触しないように、誘電体基板１１の上面の端子電極５１ａ，５１ｂの周囲を除いて形成されている。また、導体２２は、外部電極５３ａ，外部電極５３ｂに接触しないように、誘電体基板１１の下面の外部電極５３ａ，外部電極５３ｂの周囲を除いて形成されている。
【００２３】
外導体２１ａ，２１ｂは、基準電位に接続されて、誘電体フィルタの外導体として機能する。そして、内導体４１ａ〜４１ｇと、それを間隔を開けて取り囲む外導体２１ａ，２１ｂとによって７つの同軸共振器が構成されており、それらが電磁気的に結合されて誘電体フィルタが構成されている。
【００２４】
このような構成を有する本実施形態の誘電体フィルタは、例えば、外部電極５３ａおよびビア導体５２ａを介して端子電極５１ａに電気信号が入力されると、内導体４１ａ〜４１ｇおよび外導体２１ａ，２１ｂからなる７つの同軸共振器が共振し、端子電極５１ｂからビア導体５２ｂおよび外部電極５３ｂを介して電気信号が出力される。このとき、複数の同軸共振器の共振周波数を含む周波数帯の信号が選択的に通過するため、バンドパスフィルタとして機能する。
【００２５】
このように、本実施形態の誘電体フィルタは、誘電体ブロック３０と、複数の内導体４１ａ〜４１ｇと、端子電極５１ａと、端子電極５１ｂと、外導体２１ａ，２１ｂと、を有している。誘電体ブロック３０は、直方体状の誘電体であり、複数の第１貫通孔３１ａ〜３１ｇと、１つ以上の第２貫通孔３２ａ〜３２ｆとを有している。複数の内導体４１ａ〜４１ｇは、第１貫通孔３１ａ〜３１ｇの内面にそれぞれ配置されており、内導体４１ａおよび内導体４１ｇを含んでいる。端子電極５１ａは、内導体４１ａに電気的または電磁気的に接続される。端子電極５１ｂは、内導体４１ｇに電気的または電磁気的に接続される。外導体２１ａ，２１ｂは、誘電体ブロック３０を取り囲むように配置されており、基準電位に接続される。第１貫通孔３１ａ〜３１ｇは、誘電体ブロック３０の互いに対向する第１側面３０ｃおよび第２側面３０ｄの一方から他方へ向かう方向である第１方向（ｙ軸方向）に貫通している。また、第１貫通孔３１ａ〜３１ｇは、誘電体ブロック３０の互いに対向する第３側面３０ｅおよび第４側面３０ｆの一方から他方へ向かう方向である第２方向（ｘ軸方向）に互いに間隔を開けて配置されている。第２貫通孔３２ａ〜３２ｆは、第１方向（ｙ軸方向）に貫通している。また、第２貫通孔３２ａ〜３２ｆは、第２方向（ｘ軸方向）において、第１貫通孔３１ａ〜３１ｇのうちの隣り合う第１貫通孔の間にそれぞれ１つずつ配置されている。内導体４１ａは、第２方向の一方端（−ｘ方向側端部）に位置する第１貫通孔３１ａの内面に配置されている。内導体４１ｇは、第２方向の他方端（＋ｘ方向側端部）に位置する第１貫通孔３１ｇの内面に配置されている。外導体２１ａ，２１ｂは、誘電体ブロック３０の第１主面３０ａに接するとともに、誘電体ブロック３０の第２主面３０ｂ、第３側面３０ｅおよび第４側面３０ｆと間隔を開けて対向するように配置されている。第１貫通孔３１ａ〜３１ｇは、誘電体ブロック３０の第２主面３０ｂ側に配置されており、第２貫通孔３２ａ〜３２ｆは、第１貫通孔３１ａ〜３１ｇに対して第１主面３０ａ側に配置されている。
【００２６】
本実施形態の誘電体フィルタは、同軸共振器の外導体の一部として機能する外導体２１ｂが、誘電体ブロック３０の第３側面３０ｅ，第４側面３０ｆおよび第２主面３０ｂと間隔を開けて対向するように配置されている。これにより低損失なフィルタ特性を得ることができる。
【００２７】
また、本実施形態の誘電体フィルタにおいては、外導体２１ｂは、誘電体ブロック３０の第２主面３０ｂ，第１側面３０ｃ，第２側面３０ｄ，第３側面３０ｅ，第４側面３０ｆと間隔を開けて対向するように配置されており、誘電体ブロック３０と外導体２１ｂとの間は空気で満たされている。これにより、第１の共振モードの共振周波数と、スプリアスモードであるキャビティモードの共振周波数との差を大きくすることができるので、通過帯域外における減衰量を大きくすることができる。
【００２８】
また、本実施形態の誘電体フィルタにおいて、第１貫通孔３１ａ〜３１ｇは、誘電体ブロック３０の第２主面３０ｂ側に配置されている。これにより、内導体４１ａ〜４１ｇが、誘電体ブロック３０の第２主面３０ｂに近い側に配置されるので、第１主面３０ａと第２主面３０ｂとの間の中央に内導体４１ａ〜４１ｇが存在する場合と比較して、第１の共振モードにおけるＱ値をさらに大きくすることができる。なお、「第１貫通孔３１ａ〜３１ｇが、誘電体ブロック３０の第２主面３０ｂ側に配置されている」とは、第１主面３０ａおよび第２主面３０ｂの一方から他方へ向かう方向（ｚ軸方向）における誘電体ブロック３０の中央よりも第２主面３０ｂ側（＋ｚ方向側）に、第１貫通孔３１ａ〜３１ｇの各々の重心が位置していることを意味する。
【００２９】
なお、誘電体ブロック３０の第２主面３０ｂならびに互いに対向する第３側面３０ｅおよび第４側面３０ｆと外導体２１ｂとの間隔は、電気特性を向上させるためには大きくした方がよいが、大きくすると誘電体フィルタが大型化するため、必要な電気特性と許容される誘電体フィルタの外形寸法に応じて適宜設定することができる。
【００３０】
また、本実施形態の誘電体フィルタは、誘電体ブロック３０の第１側面３０ｃに配置された、内導体４１ａ〜４１ｇのうち互いに隣り合わない内導体間の静電容量を大きくするための第１導体６１ａ〜６１ｆを有している。第１導体６１ａ〜６１ｆは、図のｘ軸方向に一列状に配置されているとともに、図のｘ軸方向の両端が隣り合う内導体に各々近接するように配置されている。そして、第１導体６１ａ〜６１ｆの各々は、隣り合う内導体の両方との間に静電容量が形成されるように配置されている。また、第１導体６１ａ〜６１ｆのうち隣接する導体パターン同士の間に静電容量が形成されるように配置されている。
【００３１】
すなわち、第１導体６１ａ，６１ｂは、互いに近接するように配置されており、両者の間に静電容量が形成されている。また、第１導体６１ａは、内導体４１ａに接続された第４導体６４ａにも近接するように配置されており、第１導体６１ａと内導体４１ａとの間にも静電容量が形成されている。そして、第１導体６１ｂは、内導体４１ｃに接続された第４導体６４ｃにも近接するように配置されており、第１導体６１ｂと内導体４１ｃとの間にも静電容量が形成されている。このようにして、内導体４１ａ，４１ｃの間に第１導体６１ａ，６１ｂを介した静電容量が形成されており、第１導体６１ａ，６１ｂによって、内導体４１ａ，４１ｃ間の静電容量が大きくされている。同様に、第１導体６１ｂ，６１ｃによって内導体４１ｂ，４１ｄ間の静電容量が大きくされており、第１導体６１ｃ，６１ｄによって内導体４１ｃ，４１ｅ間の静電容量が大きくされており、第１導体６１ｄ，６１ｅによって内導体４１ｄ，４１ｆ間の静電容量が大きくされており、第１導体６１ｅ，６１ｆによって内導体４１ｅ，４１ｇ間の静電容量が大きくされている。なお、互いに隣り合わない内導体間の静電容量を大きくするための導体パターンは、隣り合わない内導体１組に対して少なくとも１つあれば良く、すなわち、少なくとも１つあればよい。
【００３２】
そして、第１導体６１ａ〜６１ｆは、内導体４１ａ〜４１ｇよりも第２主面３０ｂ側に配置されている。すなわち、第１導体６１ａ〜６１ｆの図のｚ軸方向における中央が、内導体４１ａ〜４１ｇの図のｚ軸方向における中央よりも第２主面３０ｂ側（図の＋ｚ方向側）に位置するように配置されている。これにより、第１導体６１ａ〜６１ｆを内導体４１ａ〜４１ｇよりも第１主面３０ａ側に配置した場合と比較して、隣り合わない内導体間の静電容量を大きくすることができる。
【００３３】
このような現象が起きる理由は、当初は全くわからなかったが、発明者の検討により、内導体４１ａ〜４１ｇが第２主面３０ｂ側に配置されていることにより、誘電体ブロック３０において、内導体４１ａ〜４１ｇよりも第２主面３０ｂ側における電界の大きさが、内導体４１ａ〜４１ｇよりも第１主面３０ａ側における電界の大きさよりも大きくなるためであると推定される。
【００３４】
また、本実施形態の誘電体フィルタは、誘電体ブロック３０の第２主面３０ｂにおける図の−ｙ方向の端部（第１側面３０ｃ側の端部）に、図の＋ｚ方向に突出した突起部３３を有している。そして、これにより、誘電体ブロック３０の第１側面３０ｃ側の端部は、第１主面３０ａから第２主面３０ｂへ向かう方向の長さが、他の部分よりも大きい。これにより、誘電体ブロック３０の第２側面３０ｄ側の端部と比較して、第１導体６１ａ〜６１ｆが形成された第１側面３０ｃ側端部における電界を大きくすることができる。これにより、第１導体６１ａ〜６１ｆを介して、隣り合わない内導体４１同士の間に形成される静電容量をさらに大きくすることができる。
【００３５】
また、本実施形態の誘電体フィルタは、内導体４１ａ〜４１ｇのうち互いに隣り合う内導体間の静電容量を調整するための第２導体６２ａ〜６２ｍを有している。第５導体６５ａは内導体４１ａに接続されており、第５導体６５ｂは内導体４１ｂに接続されている。そして、第５導体６５ａにおける第５導体６５ｂに近接する部分に、第５導体６５ｂに向けて突出した第２導体６２ａが接続されており、第５導体６５ｂにおける第５導体６５ａに近接する部分に、第５導体６５ａに向けて突出した第２導体６２ｂが接続されている。すなわち、第２導体６２ａは、内導体４１ａに電気的に接続されているとともに、内導体４１ａに隣接する内導体４１ｂまたは内導体４１ｂに電気的に接続された導体（この場合は第５導体６５ｂ）に向けて突出した形状を有している。第２導体６２ｂは、内導体４１ｂに電気的に接続されているとともに、内導体４１ｂに隣接する内導体４１ａまたは内導体４１ａに電気的に接続された導体（この場合は第５導体６５ａ）に向けて突出した形状を有している。このため、第２導体６２ａや、第２導体６２ｂをトリミングすることによって、隣り合う内導体４１ａ，４１ｂ間の静電容量を調整することができる。
【００３６】
図４に示すように、隣り合う内導体４１ａ，４１ｂに対する第２導体６２ａ，６２ｂと同様の構成および機能を有するように、隣り合う内導体４１ｂ，４１ｃに対して第２導体６２ｃ，６２ｄが、隣り合う内導体４１ｃ，４１ｄに対して第２導体６２ｅ，６２ｆが、隣り合う内導体４１ｄ，４１ｅに対して第２導体６２ｇ，６２ｈが、隣り合う内導体４１ｅ，４１ｆに対して第２導体６２ｉ，６２ｊが、隣り合う内導体４１ｆ，４１ｇに対して第２導体６２ｋ，６２ｍが、それぞれ設けられている。
【００３７】
よって、第２導体６２ｃ，６２ｄをトリミングすることによって、内導体４１ｂ，４１ｃ間の静電容量を調整することができ、第２導体６２ｅ，６２ｆをトリミングすることによって、内導体４１ｃ，４１ｄ間の静電容量を調整することができ、第２導体６２ｇ，６２ｈをトリミングすることによって、内導体４１ｄ，４１ｅ間の静電容量を調整することができ、第２導体６２ｉ，６２ｊをトリミングすることによって、内導体４１ｅ，４１ｆ間の静電容量を調整することができ、第２導体６２ｋ，６２ｍをトリミングすることによって、内導体４１ｆ，４１ｇ間の静電容量を調整することができる。なお、第２導体６２は、隣り合う内導体１組に対して少なくとも１つあれば良く、すなわち、少なくとも１つあればよい。
【００３８】
そして、内導体４１ａ〜４１ｇのうち互いに隣り合う内導体間の静電容量を調整するための第２導体６２ａ〜６２ｍは、誘電体ブロック３０の第２側面３０ｄに配置されている。これにより、第２導体６２ａ〜６２ｍを第１側面３０ｃに配置した場合と比較して、隣り合う内導体間の静電容量を細かく調整することができる。これは発明者の検討によって明らかになったことであるが、この効果が得られる理由は、突起部３３が形成されて電界が大きくなっている第１側面３０ｃ側端部と比較して、第２側面３０ｄ側端部における電界が小さいためではないかと推測される。
【００３９】
また、本実施形態の誘電体フィルタは、内導体４１ａ〜４１ｇと外導体２１ａ，２１ｂとの間の静電容量を調整するための第３導体６３ａ〜６３ｇを有している。第５導体６５ａは内導体４１ａに接続されており、第５導体６５ａにおける外導体２１ａに近接する部分に、外導体２１ａにむけて突出した第３導体６３ａが接続されている。すなわち、第３導体６３ａは、内導体４１ａに電気的に接続されているとともに、外導体２１ａ，２１ｂに向けて突出した形状を有している。よって、第３導体６３ａをトリミングすることによって、内導体４１ａと外導体２１ａとの間の静電容量を調整することができる。
【００４０】
図４に示すように、内導体４１ａに対する第３導体６３ａと同様の構成および機能を有するように、内導体４１ｂに対して第３導体６３ｂが、内導体４１ｃに対して第３導体６３ｃが、内導体４１ｄに対して第３導体６３ｄが、内導体４１ｅに対して第３導体６３ｅが、内導体４１ｆに対して第３導体６３ｆが、内導体４１ｇに対して第３導体６３ｇが、それぞれ設けられている。
【００４１】
よって、第３導体６３ｂをトリミングすることによって、内導体４１ｂと外導体２１ａとの間の静電容量を調整することができ、第３導体６３ｃをトリミングすることによって、内導体４１ｃと外導体２１ａとの間の静電容量を調整することができ、第３導体６３ｄをトリミングすることによって、内導体４１ｄと外導体２１ａとの間の静電容量を調整することができ、第３導体６３ｅをトリミングすることによって、内導体４１ｅと外導体２１ａとの間の静電容量を調整することができ、第３導体６３ｆをトリミングすることによって、内導体４１ｆと外導体２１ａとの間の静電容量を調整することができ、第３導体６３ｇをトリミングすることによって、内導体４１ｇと外導体２１ａとの間の静電容量を調整することができる。なお、内導体と外導体２１ａ，２１ｂと間の静電容量を調整するための導体パターンは、内導体１つに対して少なくとも１つあれば良く、全ての内導体が有している必要は必ずしも無いので、少なくとも１つあればよい。
【００４２】
そして、内導体４１ａ〜４１ｇと外導体２１ａ，２１ｂとの間の静電容量を調整するための第３導体６３ａ〜６３ｇは、誘電体ブロック３０の第２側面３０ｄに配置されている。これにより、第３導体６３ａ〜６３ｇを第１側面３０ｃに配置した場合と比較して、内導体４１ａ〜４１ｇと外導体２１ａ，２１ｂとの間の静電容量を細かく調整することができる。これは発明者の検討によって明らかになったことであるが、この効果が得られる理由は、突起部３３が形成されて電界が大きくなっている第１側面３０ｃ側端部と比較して、第２側面３０ｄ側端部における電界が小さいためではないかと推測される。
【００４３】
また、本実施形態の誘電体フィルタは、第２貫通孔３２ａ〜３２ｆを有している。第２貫通孔３２ａ〜３２ｆは、第１方向（ｙ軸方向）に貫通している。また、第２貫通孔３２ａ〜３２ｆは、第２方向（ｘ軸方向）において、第１貫通孔３１ａ〜３１ｇのうちの隣り合う第１貫通孔の間にそれぞれ１つずつ配置されている。すなわち、第２貫通孔３２ａは内導体４１ａ，４１ｂの間に配置されており、第２貫通孔３２ｂは内導体４１ｂ，４１ｃの間に配置されており、第２貫通孔３２ｃは内導体４１ｃ，４１ｄの間に配置されており、第２貫通孔３２ｄは内導体４１ｄ，４１ｅの間に配置されており、第２貫通孔３２ｅは内導体４１ｅ，４１ｆの間に配置されており、第２貫通孔３２ｆは内導体４１ｆ，４１ｇの間に配置されている。
【００４４】
第２貫通孔３２ａ〜３２ｆにより、内導体４１ａ〜４１ｇと外導体２１ａ，２１ｂとの間の実効的な誘電率を小さくすることができる。これにより、第２貫通孔３２ａ〜３２ｆを有さない場合と比較して、第１共振モードにおけるＱ値を大きくすることができ、低損失の誘電体フィルタを得ることができる。また、第２貫通孔３２ａ〜３２ｆにより、外導体２１ａ，２１ｂで囲まれた領域の実効的な誘電率を小さくすることができる。これにより、第２貫通孔３２ａ〜３２ｆを有さない場合と比較して、第１の共振モードの共振周波数と、スプリアスモードであるキャビティモードの共振周波数との差を大きくすることができるので、通過帯域外における減衰量を大きくすることができる。なお、第２貫通孔３２ａ〜３２ｆは、隣り合う内導体の間に少なくとも１つあれば良く、全ての内導体間にある必要は必ずしも無いので、少なくとも１つあればよい。
【００４５】
また、第１貫通孔３１ａ〜３１ｇは、誘電体ブロック３０の第２主面３０ｂ側に配置されており、第２貫通孔３２ａ〜３２ｆは、第１貫通孔３１ａ〜３１ｇに対して第１主面３０ａ側に配置されている。これにより、第２貫通孔３２ａ〜３２ｆが、第１貫通孔３１ａ〜３１ｇに対して第２主面３０ｂ側にある場合や、第２貫通孔３２ａ〜３２ｆに代えてスリットが形成されている場合と比較して、互いに隣り合う内導体４１間の静電容量を大きくすることができる。なお、「第２貫通孔３２ａ〜３２ｆが、第１貫通孔３１ａ〜３１ｇに対して第１主面３０ａ側に配置されている」とは、第１主面３０ａおよび第２主面３０ｂの一方から他方へ向かう方向（ｚ軸方向）において、第１貫通孔３１ａ〜３１ｇの各々の重心よりも第１主面３０ａ側（−ｚ方向側）に、第２貫通孔３２ａ〜３２ｆの各々の重心が位置していることを意味する。
【００４６】
また、本実施形態の誘電体フィルタは、ｘ軸方向の中央部に位置する第２貫通孔３２ｃ，３２ｄの体積が、ｘ軸方向の両端部に位置する貫通孔３２ａ，３２ｆの体積よりも大きい。これにより、第１の共振モードの共振周波数と、スプリアスモードであるキャビティモードの共振周波数との差を、より効果的に大きくすることができ、通過帯域外における減衰量を大きくすることができる。この効果が得られる理由は、キャビティモードにおける電界の大きさが、図のｘ軸方向の両端部よりも中央部が大きいためであると考えられる。なお、この効果を得るためには、第１貫通孔３１を４つ以上有し、３つ以上の第２貫通孔３２が、図のｘ軸方向に間隔を開けて配置されていれば良い。
【００４７】
なお、ｘ軸方向の中央に位置する第２貫通孔３２とは、誘電体ブロック３０のｘ軸方向の中央に最も近い位置にある第２貫通孔３２を意味する。本実施形態の場合には、誘電体ブロック３０のｘ軸方向の中央が、第２貫通孔３２ｃ，３２ｄの中央に位置するため、第２貫通孔３２ｃ，３２ｄの両方が、ｘ軸方向の中央に位置する第２貫通孔３２である。
【００４８】
さらに、第２貫通孔３２ａ〜３２ｆの体積が、図のｘ軸方向における両端部から中央部に向けて段階的に大きくなっているようにすることにより、第１の共振モードの共振周波数と、スプリアスモードであるキャビティモードの共振周波数との差を、より効果的に大きくすることができ、通過帯域外における減衰量を大きくすることができる。この効果が得られる理由は、キャビティモードにおける電界の大きさが、図のｘ軸方向の両端部から中央部に向けて徐々に大きくなるためであると考えられる。
【００４９】
また、本実施形態の誘電体フィルタは、図のｘ軸方向の中央部に位置する第４導体６４ｄの面積が、ｘ軸方向の両端部に位置する第４導体６４ａ，６４ｇよりも小さい。これによっても、第１の共振モードの共振周波数と、スプリアスモードであるキャビティモードの共振周波数との差を、より効果的に大きくすることができ、通過帯域外における減衰量を大きくすることができる。
【００５０】
本実施形態の誘電体フィルタにおいて、誘電体ブロック３０の材質としては、エポキシ樹脂等の樹脂や、誘電体セラミックス等のセラミックスなど、既知の種々の誘電体材料を用いることができる。例えば、ＢａＴｉＯ３，Ｐｂ４Ｆｅ２Ｎｂ２Ｏ１２，ＴｉＯ２等を含有する誘電体セラミック材料を好適に用いることができる。また、各種の電極および導体の材質としては、既知の種々の導電性材料を用いることができる。例えば、Ａｇ，Ａｇ−Ｐｄ，Ａｇ−Ｐｔ等のＡｇ合金を主成分とする導電材料やＣｕ系，Ｗ系，Ｍｏ系，Ｐｄ系導電材料等が好適に用いられる。各種の電極および導体の厚みは、例えば０．００１ｍｍ〜０．２ｍｍに設定される。
【００５１】
（第２実施形態）
図５は、本発明の第２実施形態のデュプレクサを模式的に示す断面図である。図６は、図５に示すデュプレクサを＋ｚ方向から見た状態を模式的に示す平面図である。図７は、図５に示すデュプレクサを−ｚ方向から見た状態を模式的に示す平面図である。なお、図６においては、図５における導体２４の図示を省略している。また、図５，図６においては、送信用フィルタ２８および受信用フィルタ２９の詳しい構造の図示を省略している。また、本実施形態においては、上述した実施形態と異なる部分について説明し、同一の構成要素には同一の符号を付して重複する説明を省略する。
【００５２】
本実施形態のデュプレクサは、アンテナ端子２７ａと、送信端子２７ｂと、受信端子２７ｃと、送信用フィルタ２８と、受信用フィルタ２９と、整合線路２５と、ビア導体２６ａ，２６ｂ，２６ｃ（ビア導体２６ａ，ビア導体２６ｂ，ビア導体２６ｃ）と、導体２４とを有している。送信用フィルタ２８は、アンテナ端子２７ａと送信端子２７ｂとの間に直列に接続されており、受信用フィルタ２９は、アンテナ端子２７ａと受信端子２７ｃとの間に直列に接続されている。
【００５３】
送信用フィルタ２８および受信用フィルタ２９は、図１〜図４に示した第１実施形態の誘電体フィルタである。なお、受信用フィルタ２９は、ｚ軸を中心に１８０°回転させた状態で配置されている。また、送信用フィルタ２８および受信用フィルタ２９は、誘電体基板１１，外導体２１ａおよび導体２２を共有している。また、送信用フィルタ２８および受信用フィルタ２９の各々は、外導体２１ｂが、貫通孔２３を有する外導体２１ｂ１と、外導体２１ｂ２とによって構成されている。また、送信用フィルタ２８および受信用フィルタ２９の各々は、図３に示した、ビア導体５２ａ，ビア導体５２ｂ，外部電極５３ａ，外部電極５３ｂを有していない。
【００５４】
送信用フィルタ２８の端子電極５１ａおよび受信用フィルタ２９の端子電極５１ｂは、整合線路２５およびビア導体２６ａを介してアンテナ端子２７ａに接続されている。送信用フィルタ２８の端子電極５１ｂは、誘電体基板１１を貫通するビア導体２６ｂを介して送信端子２７ｂに接続されている。受信用フィルタ２９の端子電極５１ａは、誘電体基板１１を貫通するビア導体２６ｃを介して受信端子２７ｃに接続されている。
【００５５】
なお、整合線路２５は、誘電体基板１１の上面に、外導体２１ａと間隔を開けて配置されており、アンテナ端子２７ａと送信用フィルタ２８および受信用フィルタ２９とを電気的に接続している。導体２４は、導体２２とともに、送信用フィルタ２８，受信用フィルタ２９および整合線路２５を取り囲むように配置されており、基準電位に接続されて電磁気的なシールドとして機能する。
【００５６】
本実施形態のデュプレクサは、送信用フィルタ２８および受信用フィルタ２９が第１実施形態の誘電体フィルタであることから、電気特性が良好なデュプレクサを得ることができる。なお、送信用フィルタ２８および受信用フィルタ２９の少なくとも一方を第１実施形態の誘電体フィルタとすれば、デュプレクサの電気特性を改善することができる。
【００５７】
また、本実施形態のデュプレクサにおいては、送信用フィルタ２８および受信用フィルタ２９の両方が第１実施形態の誘電体フィルタであり、それぞれの誘電体ブロック３０の第１側面３０ｃ同士が向かい合うように配置されている。これにより、送信用フィルタ２８および受信用フィルタ２９において、隣り合う内導体間の静電容量を調整するための第２導体６２ａ〜６２ｍと、内導体４１ａ〜４１ｇと外導体２１ａ，２１ｂとの間の静電容量を調整するための第３導体６３ａ〜６３ｇとを、どちらもデュプレクサの外側に配置することができる。これにより、例えば、導体２４，外導体２１ｂ１および外導体２１ｂ２を取り除くことにより、デュプレクサを構成したままで、第２導体６２ａ〜６２ｍや第３導体６３ａ〜６３ｇをトリミングすることができる。これにより、良好な電気特性を容易に得ることが可能なデュプレクサを得ることができる。
【００５８】
なお、送信用フィルタ２８および受信用フィルタ２９の一方が第１実施形態の誘電体フィルタである場合には、その誘電体ブロック３０の第１側面３０ｃが、送信用フィルタ２８および受信用フィルタ２９の他方に面するように配置することより、デュプレクサを構成したままで特性を調整することができる。この場合には、送信用フィルタ２８および受信用フィルタ２９の他方は、どのようなフィルタでも良く、例えば、ストリップラインフィルタでもＳＡＷフィルタでも構わない。
【００５９】
また、本実施形態のデュプレクサは、外導体２１ｂが、外導体２１ｂ１および外導体２１ｂ２によって構成されている。そして、外導体２１ｂ１は、１面が開口した直方体の箱状の導体であり、開口部を外導体２１ａ側に向けて、内部に誘電体ブロック３０を収容するように、外導体２１ａの第１主面上に配置されて外導体２１ａに接続されている。また、外導体２１ｂ１は、第２導体６２ａ〜６２ｍや第３導体６３ａ〜６３ｇと対向する部分に、第２導体６２ａ〜６２ｍや第３導体６３ａ〜６３ｇが外部へ露出するように形成された貫通孔２３を有している。そして、外導体２１ｂ２は、貫通孔２３を塞ぐように外導体２１ｂ１に取り付けることができるとともに、着脱可能な構造を有している。これにより、例えば、外導体２１ｂ１を取り付けたままで、デュプレクサの電気特性の測定と、第２導体６２ａ〜６２ｍや第３導体６３ａ〜６３ｇのトリミングの両方の作業を行うことができる。また、例えば、外導体２１ｂ２を取り付けた状態での電気特性の測定と、外導体２１ｂ２を取りはずした状態での第２導体６２ａ〜６２ｍや第３導体６３ａ〜６３ｇのトリミングとを繰り返すことにより、デュプレクサの電気特性の微調整も容易に行うことができる。これにより、良好な電気特性を容易に実現することが可能なデュプレクサを得ることができる。
【００６０】
（第３実施形態）
図８は、本発明の第３実施形態の通信装置を模式的に示すブロック図である。本実施形態の通信装置は、デュプレクサ８０と、アンテナ８２と、送信回路８１と、受信回路８３とを少なくとも有している。
【００６１】
デュプレクサ８０は、前述した第２実施形態のデュプレクサである。アンテナ８２はデュプレクサ８０のアンテナ端子２７ａに接続されており、送信回路８１はデュプレクサ８０の送信端子２７ｂに接続されており、受信回路８３はデュプレクサ８０の受信端子２７ｃに接続されている。なお、アンテナ８２は他の回路を介してアンテナ端子２７ａに接続されても良く、送信回路８１は他の回路を介して送信端子２７ｂに接続されても良く、受信回路８３は他の回路を介して受信端子２７ｃに接続されてもよい。
【００６２】
このような構成を有する本実施形態の通信装置は、電気特性が良好な第２実施形態のデュプレクサを用いて通信を行うことから、通信品質の良い通信装置を得ることができる。
【００６３】
（変形例）
本発明は上述した実施形態に限定されるものではなく、本発明の要旨を逸脱しない範囲において種々の変更，改良が可能である。
【００６４】
上述した実施形態においては、誘電体ブロック３０と外導体２１ｂとの間が空気で満たされた例を示したが、これに限定されるものではない。例えば、例えば、誘電体ブロック３０と外導体２１ｂとの間が真空であっても良く、また、誘電体ブロック３０と外導体２１ｂとの間が、誘電体ブロック３０よりも誘電率が低い誘電体材料（気体を含む）で満たされていても構わない。
【００６５】
また、上述した実施形態においては、外導体２１ｂが、誘電体ブロック３０の第２主面３０ｂ，第１側面３０ｃ，第２側面３０ｄ，第３側面３０ｅ，第４側面３０ｆと間隔を開けて対向する例を示したが、これに限定されるものではない。例えば、内導体４１ａ〜４１ｇの第２側面３０ｄ側の端部が基準電位に接続されて１／４波長共振器として機能するような場合には、誘電体ブロック３０の第２側面３０ｄに外導体２１ｂが接触するようにしても構わない。
【００６６】
また、上述した第１実施形態の誘電体フィルタにおいては、誘電体ブロック３０の第２側面３０ｄ側端部に突起部３３が形成された例を示したが、これに限定されるものではない。場合によっては、突起部３３を設けなくても構わない。
【００６７】
また、前述した実施形態においては、７つの第１貫通孔３１ａ〜３１ｇおよび７つの内導体４１ａ〜４１ｇを有する例を示したが、これに限定されるものではなく、各々２つ以上であればよい。但し、共振器数の増加は大型化を招くので、通常は２０個程度以下に設定される。
【実施例】
【００６８】
図１〜図４に示した第１実施形態の誘電体フィルタの電気特性をシミュレーションによって算出した。シミュレーションにおいて、誘電体ブロック３０を構成する誘電体は、比誘電率を１１とし、誘電正接を０．００００５とした。各種導体および電極の導電率は４０×１０６Ｓ／ｍとした。誘電体ブロック３０は、第１主面３０ａから第２主面３０ｂ迄の距離が１２ｍｍで、第１側面３０ｃから第２側面３０ｄ迄の距離が１９ｍｍで、第３側面３０ｅから第４側面３０ｆ迄の距離が７６ｍｍの直方体に突起部３３が形成された形状とした。突起部３３は、誘電体ブロック３０の第１側面３０ｃに接するように第３側面３０ｅから第４側面３０ｆに渡って形成されており、長さが４ｍｍで、幅が７６ｍｍで、高さが５ｍｍの直方体状とした。第１貫通孔３１ａ〜３１ｇは、それぞれ直径が３ｍｍの円筒状とし、第１貫通孔３１ａ〜３１ｇのそれぞれの中心が第１主面３０ａから６ｍｍの距離に位置するようにした。外導体２１ａは長さが３６ｍｍで幅が９５ｍｍの矩形状とし、その中央に誘電体ブロック３０が位置するようにした。外導体２１ｂは、長さが２６ｍｍで、幅が８４ｍｍで、高さが２０ｍｍの直方体の箱状とした。第２貫通孔３２ａ〜３２ｆは、それぞれ直径が３mmの円筒状とし、図のｚ軸方向における中央が第１主面３０ａから２ｍｍの距離に位置するようにした。【００６９】
このシミュレーション結果を図９のグラフに示す。グラフの横軸は規格化周波数であり、通常の周波数をｆとし、フィルタの中心周波数をｆｃとし、フィルタの帯域幅をｆｂとすると、規格化周波数ｆｓは次式で表されるものである。
ｆｓ＝ｆｃ／ｆｂ×（ｆ／ｆｃ−ｆｃ／ｆ）
また、グラフの縦軸は減衰量である。そして、グラフにおいて、実線が伝送特性を示し、破線が反射特性を示している。グラフによれば、低損失であり、且つ通過帯域の近傍の減衰量が大きい、優れた伝送特性が得られていることがわかる。これにより、本発明の効果が確認できた。
【符号の説明】
【００７０】
２１ａ，２１ｂ：外導体
２７ａ：アンテナ端子
２７ｂ：送信端子
２７ｃ：受信端子
２８：送信用フィルタ
２９：受信用フィルタ
３０：誘電体ブロック
３０ａ：第１主面
３０ｂ：第２主面
３０ｃ：第１側面
３０ｄ：第２側面
３０ｅ：第３側面
３０ｆ：第４側面
３１ａ〜３１ｇ：第１貫通孔
３２ａ〜３２ｆ：第２貫通孔
４１ａ〜４１ｇ：内導体
６１ａ〜６１ｆ：第１導体
６２ａ〜６２ｍ：第２導体
６３ａ〜６３ｇ：第３導体
５１ａ，５１ｂ：端子電極
８０：デュプレクサ
８１：送信回路
８２：アンテナ
８３：受信回路
【図１】
0005989890.tif 000002
【図２】
0005989890.tif 000003
【図３】
0005989890.tif 000004
【図４】
0005989890.tif 000005
【図５】
0005989890.tif 000006
【図６】
0005989890.tif 000007
【図７】
0005989890.tif 000008
【図８】
0005989890.tif 000009
【図９】
0005989890.tif 000010